(57)【要約】【課題】    二重に開閉部材を備えた場合にも、防犯システムを適用することができる開口部装置を提供する。【解決手段】  躯体に設けられた枠体と、枠体に取り付けられた一組の外側引き違い障子と、外側引き違い障子の室内側にさらに開閉部材とを具備し、外側引き違い障子には障子の施解錠を感知して防犯コントローラに送信する送信システムを備えた開口部装置であって、外側引き違い障子の内障子召し合せ框６３には開閉部材と位置的干渉を起こさないように構成した施解錠用回動手掛け部材１００を備え、施解錠用回動手掛け部材は、施解錠用回動部材を内障子召し合せ框に固定するための台座部１０１と、台座部に回動自由に取り付けられたハンドル部１０３とを備え、送信システムは、ハンドル部に内蔵された磁石１２０と、台座部に内蔵されて磁石の近接を感知するセンサ１２５と、センサから結線されるとともに施解錠用回動手掛け部材近傍の召し合せ框に取り付けた発信機１５０とを備える。【選択図】      図５
2005076323.tif 000002
【特許請求の範囲】
【請求項１】
躯体に設けられた枠体と、前記枠体に取り付けられた一組の外側引き違い障子と、前記外側引き違い障子の室内側にさらに開閉部材とを具備し、前記外側引き違い障子には該障子の施解錠を感知して防犯コントローラに送信する送信システムが備えられた開口部装置であって、
前記外側引き違い障子の内障子召し合せ框には前記開閉部材と位置的干渉を起こさないように構成された施解錠用回動手掛け部材が備えられ、
前記施解錠用回動手掛け部材は、該施解錠用回動部材を前記内障子召し合せ框に固定するための台座部と、前記台座部に回動自由に取り付けられたハンドル部とを備え、
前記送信システムは、前記ハンドル部に内蔵された磁石と、前記台座部に内蔵されて前記磁石の近接を感知するセンサと、前記センサから結線されるとともに前記施解錠用回動手掛け部材近傍の前記召し合せ框に取り付けられた発信機と、を備える
ことを特徴とする開口部装置。
【発明の詳細な説明】
【技術分野】
【０００１】
本発明は、戸締り確認システム用の子機を備えた開口部装置に関する。
【背景技術】
【０００２】
サッシのクレセント近傍に設置され、このクレセントの施錠解錠信号を送信する複数の子機と、複数の子機からの施解錠信号を受信して各子機の施解錠状態を表示する親機とを備え、この親機を玄関等に設置し、外出時、または就寝時に、この親機で各サッシの戸締り状態を確認する戸締りシステムが、防犯のため建物等で使用されている。
【０００３】
また、実際に外部からサッシのガラスパネル等が破壊され、クレセントが施解錠された場合にはクレセントの近傍に設置された子機が察知して親機に信号を送信し、信号を受信した親機は、家主の携帯電話等に信号を送信して不法侵入を伝えるシステムとなっている。さらに、セキュリティーシステム等に加入している場合には、管理室に非常信号が送信されるようシステム化することも可能である。
【０００４】
特許文献１には、クレセント近傍に取り付けられた子機のデザイン、および機能等が開示されており、図７にはその子機３００、およびクレセント４００が示されている。サッシは、内障子と外障子とを備える引き違いサッシであり、子機３００はクレセント４００に隣接して設けられている。この子機３００は三段構造に形成されたケース３１０を備えており、クレセントのレバー部４１０の回動を許す下段部４２０と、中段部４３０と、上段部４４０によって構成されている。レバー部４１０には磁石が埋設されており、クレセント４００には磁石に対向するセンサ４１０ａ、および４１０ｂが配備されている。なお、センサ４１０ａ、および４１０ｂは、子機３００の下端部４２０に内蔵されているため破線で示す。防犯システムが作動中の状態では、センサ４１０ａ、および４１０ｂが、センサ４１０ａ、および４１０ｂに磁石が近接した施錠状態、および磁石が離れた解錠錠状態を感知し、子機３００から親機に信号が発信されている。
【０００５】
上記のとおり、防犯システムが省スペースで取り付けられるため、近年、建物の外観に合わせて、または室内装飾に合わせて様々なデザインの窓に取り付けられるようになってきている。
【特許文献１】特開２００２−２１３１２２号公報
【発明の開示】
【発明が解決しようとする課題】
【０００６】
しかし、ガラスパネル等の嵌め込まれた外障子の室内側に、さらに紙貼り障子を設けた和風窓等も、外観の良さから需要が高まっている一方で、和風窓等に防犯システムを取り付けるには、レバー部の回動軌跡が紙貼り障子に接触してしまうという問題があった。
【０００７】
そこで、本発明は、二重に開閉部材を備えた場合にも、防犯システムを適用することができる開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、躯体に設けられた枠体（５０）と、枠体に取り付けられた一組の外側引き違い障子（６０、７０）と、外側引き違い障子の室内側にさらに開閉部材（８０、９０）とを具備し、外側引き違い障子には障子の施解錠を感知して防犯コントローラに送信する送信システムが備えられた開口部装置であって、外側引き違い障子の内障子召し合せ框（６３）には開閉部材と位置的干渉を起こさないように構成された施解錠用回動手掛け部材（１００）が備えられ、施解錠用回動手掛け部材は、施解錠用回動部材を内障子召し合せ框に固定するための台座部（１０１）と、台座部に回動自由に取り付けられたハンドル部（１０３）とを備え、送信システムは、ハンドル部に内蔵された磁石（１２０）と、台座部に内蔵されて磁石の近接を感知するセンサ（１２５）と、センサから結線されるとともに施解錠用回動手掛け部材近傍の召し合せ框に取り付けられた発信機（１５０）と、を備えることを特徴とする開口部装置（２００）を提供して前記課題を解決する。
【００１０】
請求項１の発明によれば、例えば、内側引き違い障子、カーテン、ブラインド、或いはロールスクリーン等の内側開閉部材を備えた窓等において、外側引き違い障子を施解錠するためのクレセントのハンドル操作が開閉部材に接触することなく行うことができる。さらに、ハンドル内部に備えられた磁石によって、クレセントが施解錠操作されたことを感知するセンサをクレセント内に保持しており、二重障子を備えたデザイン性の高い窓へ、コンパクトな送信システムを備えることが可能である。また、センサと発信機は別体に設けられているので取り付けの自由度が高い。
【発明の効果】
【００１１】
請求項１の発明によれば、例えば、内側引き違い障子、カーテン、ブラインド、或いはロールスクリーン等の内側開閉部材を備えた窓等において、外側引き違い障子を施解錠するためのクレセントのハンドル操作が開閉部材に接触することなく行うことができる。さらに、ハンドル内部に備えられた磁石によって、クレセントが施解錠操作されたことを感知するセンサをクレセント内に保持しており、二重障子を備えたデザイン性の高い窓へ、コンパクトな送信システムを備えることが可能である。また、センサと発信機は別体に設けられているので、取り付けの自由度が高くなる。
【００１２】
本発明のこのような作用及び利得は、次に説明する発明を実施するための最良の形態から明らかにされる。
【発明を実施するための最良の形態】
【００１３】
以下本発明を図面に示す実施形態に基づき説明する。
【００１４】
図１は、本発明に係る引き違い窓２００が閉じられた状態を室外側から概略的に示した正面図である。
【００１５】
図示の引き違い窓２００は、建物（図示せず。）の所定箇所に取り付けられる枠体５０と、枠体５０に取り付けられた２枚の可動障子である内障子６０、および外障子７０とを備えている。
【００１６】
さらに、内障子６０、および外障子７０の室内側には、室内側枠体５０ａ（図示せず。）に可動可能に取り付けられた開閉部材８０、および９０（以下において、「内紙貼り障子８０」、および「外紙貼り障子９０」という。）を備えている。
【００１７】
枠体５０は、上枠５１、下枠５２、右縦枠５３、および左縦枠５４によって構成されている。
【００１８】
また、内障子６０は、上框６１と、下框６２と、右縦框６３と、左縦框６４と、これらの框に固定されたガラスパネル６５とを備えている。さらに、外障子７０との召し合わせ框である右縦框６３（図１においては、下記の外障子７０の右縦框７４と召しあっており現れていない。）の中央部付近には回動手掛用部材１００（以下において「クレセント１００」という。）と、クレセント１００の近傍に設けられた発信機１５０（以下において「子機１５０」という。）とが取り付けられている。
【００１９】
外障子７０は、上框７１、下框７２、右縦框７３、左縦框７４、およびこれらの框に固定されたガラスパネル７５を備えている。また、内障子６０との召し合わせ框である左縦框７４にはクレセント１００と係合する係合部７６が設けられている。
【００２０】
また、室内側枠体５０ａ（図示せず。）には、内障子６０、および外障子７０より室内側に、意匠性に加え採光性にも優れているため和室に多用される内紙貼り障子８０、および外紙貼り障子９０が設けられている。内紙貼り障子８０には上框８１、下框８２、左右の縦框８３、８４、およびこれらの框内部に張り渡された面格子８５を備えており、面格子８５には和紙等の材質からなる紙材８６が貼り付けられている。
【００２１】
同様に、外紙貼り障子９０には上框９１、下框９２、左右の縦框９３、９４、およびこれらの框内部に張り渡された面格子９５を備えており、面格子９５には和紙等の材質からなる紙材９６が貼り付けられている。
【００２２】
図２には、図１におけるII−II線に沿った断面図を示している。外障子７０にはガラスパネル１３０ａ、および１３０ｂが、複層ガラスとして上下端部をグレージングチャネル１３１ａ、および１３１ｂを介して上框７１、および下框７２に取り付けられている。下框７２には、滑車１３２が設けられており、下枠５２から上方向に立設されたレール１３３の上に配置されている。滑車１３２が、レール１３３の上を回転しつつ見付け方向へと移動されることによって、障子７０の開閉が可能となっている。一方、上框７１には嵌合溝１３４が形成されており、上端部は上枠５１に設けられた突片１３５の厚さとほぼ同じ厚みの溝幅となるよう設けられている。よって、突片１３５が、上框７１に形成された嵌合溝１３４に隙間なく嵌合されることによって、障子７０の開閉時においてガタつきなく滑らかに見付け方向へと移動させることができる。
【００２３】
同様に、内障子６０にはガラスパネル１３６ａ、および１３６ｂが、複層ガラスとして上下端部をグレージングチャネル１３７ａ、および１３７ｂを介して上框６１、および下框６２に取り付けられている。下框６２には、滑車１３８が設けられており、下枠５２から上方向に立設されたレール１３９の上に配置されている。滑車１３８が、レール１３９の上を回転しつつ見付け方向へと移動されることによって、障子６０の開閉が可能となっている。一方、上框６１には嵌合溝１４０が形成されており、上端部は上枠６１に設けられた突片１４１の厚さとほぼ同じ厚みの溝幅となるよう設けられている。よって、突片１４１が、上框６１に形成された嵌合溝１４０に隙間なく嵌合されることによって、障子６０の開閉時においてガタつきなく滑らかに見付け方向へと移動させることができる。
【００２４】
室外側に設けられた外障子７０、および内障子６０に対して、室内側には、外紙貼り障子９０、および内紙貼り障子８０が設けられている。外紙貼り障子９０、および内紙貼り障子８０は、室内側枠体５０ａに上下方向に形成された溝１４２ａ、１４２ｂ、および１４３ａ、１４３ｂ上に嵌め入れられている。溝１４２ａ、１４２ｂ、および１４３ａ、１４３ｂに設置されていることにより、外紙貼り障子９０、および内紙貼り障子８０は上下、および室内外方向を固定されており、見付け方向に安定性よく自在に開閉することが可能となっている。
【００２５】
本開口部装置２００を施解錠するための装置として、内障子６０の右縦框（図示せず）には子機１５０、およびクレセント１００が取り付けられており、クレセント１００内に形成されているハンドル部１０３を回動させることによって施解錠が可能であるように構成されている。図中には、矢線Ｘにてハンドル部１０３の回動軌跡を示す。矢線Ｘで示されているように、ハンドル本体が長手方向に短く形成されていることによって、外紙貼り障子９０のいずれの部材にも接触干渉することなく操作することが可能となっている。
【００２６】
図３は、クレセント１００を概略的に示す図である。以下、解錠時において室内側正面からクレセント１００正面視したものを正面図とする。(a)は正面図、（ｂ）は左側面図、（ｃ）は裏面図、（ｄ）は右側面図を示している。
【００２７】
図３（ａ）、（ｂ）、および（ｃ）に示されるように、クレセント１００は、台座１０１と、錠止片１０２と、ハンドル部１０３と、ねじカバー１１０によって構成されている。ハンドル部１０３の下端部内部には磁石１２０（外観には現れないため破線にて図示する。）が設けられている。また、図３（ｄ）に示されるように、ハンドル部１０３（図３（ｄ）には現われていない。）がその周りを自由に回動する主軸１０４が、錠止片１０２に設けられた孔（図３（ｄ）には現われていない。）を貫通し、続いて台座１０１に設けられた軸孔１０５に差込まれて枢着されている。この主軸１０４を中心に、ハンドル部（１０３）、およびハンドル部（１０３）によって取り付けられた錠止片１０２が回転される。ハンドル部（１０３）は、図３（ｄ）とは裏側にあたる正面側から差込まれたねじ１０８によって、上記のとおり内障子（６０）の召し合せ框（６３）（室外側からみて右框にあたる。）に螺合されている。また、台座１０１には、ねじ１０８を覆い隠して、外観の意匠性を高めるためのねじカバー１１０が設けられている。ねじカバー１１０が台座１０１に取り付けられるため、台座１０１はねじカバー１１０の厚み分を切り欠かれて形成されており、装着時において、ねじカバー１１０と台座１０１とは面一となるよう設けられている。図３（ｄ）には現れていないが、台座１０１は図中の矢線Ｌの分、本図の裏面（図３（ｂ）に相当する。）が削られており、空間が設けられている。
【００２８】
また、コイルばね１０６がばね掛け１０７と、ハンドル部（１０３）と一体に回転する回転ばね掛け１０７との間に張設されている。このコイルばね１０６は、ハンドル部１０３上面を室外方向におよそ１８０度回転させ、連動して錠止片１０２が施錠位置に移動されたときにはハンドル部１０３を施錠位置に保持し、受座（図示せず。）に係合されるよう設けられている。加えて、錠止片１０２が図３の（ａ）に示されるような解錠位置に置かれた際にはハンドル部１０３を解錠位置に保持されるようにも設けられている。
【００２９】
図４は、ねじカバー１１０を概略的に示す図である。解錠時において室内側正面からクレセント１００を正面視した場合における、(ａ)は正面図、（ｂ）は左側面図、（ｃ）は右側面図を示している。
【００３０】
図４（ａ)、および図４（ｂ）に示されるように、左側面の内面から返し１１１が左方向に鉤状となるよう形成されている。返し１１１によって、ねじカバー１１０は台座１０１に嵌合され、台座１０１が下方向に抜け落ちないよう固定することが可能となっている。返し１１１の着脱にあたっては、左側面の外面下部に、ずれ止め１１２が形成されており、外面から押圧しやすいよう設けられている。ずれ止め１１２が外部から押圧されると、ねじカバー１１０の同一面に表裏に設けられている返し１１１も押圧される。返し１１１が押圧されることにより返しの先端部である鍵部１１１ａが、台座１０１に設けられている嵌合部から抜き差しされ、ねじカバー１１０が脱着される。
【００３１】
図４（ｃ）には、ねじカバー１１０の右側面が示されている。ねじカバー１１０が台座１１１に装着されるには、上記の返し１１１に加えて押え部１１３も利用される。押え部１１３は、ねじカバー１１０の上面１１０ａの中央部よりわずかに右側から設けられており、上下方向において、返し１１１に対向して設けられている。押え部１１３は、台座１０１の裏面上部を押さえるよう構成されていることにより（図３（ｄ）参照）、台座１０１が、ねじカバー１１０の幅方向にずれないようになっている。また、センサ１２５が上面１１０ａの若干奥側の位置から、ねじカバー１１０の高さとほぼ同じ長さとなるよう設けられている。
【００３２】
台座１０１へ、ねじカバー１１０が装着される際には、台座１０１の右側面に、押え部１１３と、センサ１２５を跨がせるように設けられる。よって、センサ１２５が台座１０１、およびねじカバー１１０から外部に突出されるようなことなくコンパクトに装着されている。
【００３３】
センサ１２５からは、ねじカバー１１０を貫通して上方に設けられた２本のリード１２６ａ、および１２６ｂが形成されている。このリード１２６ａ、および１２６ｂによって、下記に示す親機に施解錠信号が出力されることを可能としている。
【００３４】
図５は、内障子の右縦框６３の見込み面６３ａに、クレセント１００、および子機１５０が装着されている様子を概略的に示した斜視図である。なお、図５においては施錠時の状態を示す。係合部７６に錠止片１０２が係合されると、ハンドル部１０３とともに内蔵された磁石１２０がねじカバー１１０に近接される位置へと移動される。ねじカバー１１０にはセンサ１２５が内蔵されており、図５に示した施錠時においては磁石に近接する位置となる。このように、センサ１２５に磁石１２０が感知されている状態であるか、非感知の状態であるかにより防犯システムが作動されるよう構成されている。施錠状態は、センサ１２５から配線されているリード１２６ａ、および１２６ｂを通じて施錠信号が子機１５０に伝達され、子機１５０からは施錠信号が親機（図６参照）に送信される。
【００３５】
一方、クレセント１００が図５に示した矢印方向に回動され、ハンドル部１０３、およびハンドル部１０３に埋設されている磁石１２０が、ねじカバー１１０に設けられているセンサ１２５から離れていくと、リード１２６ａ、および１２６ｂを通じて解錠信号が子機１５０に伝達され、子機１５０からは解錠信号が親機（図６参照）に送信される。よって、外出時、または就寝時等において、外部からの侵入者が解錠を試みた場合はただちに管理者に知れることとなる。
【００３６】
さらに、子機１５０にはＬＥＤ光源（図示せず）が内蔵されている。ＬＥＤ光源は、下記に示す防犯システムの管理下におかれた場合、常時点灯、あるいは点滅し、建物に侵入しようとするものを威嚇するよう設けられており、ねじカバー１１０に備えられたセンサ１２５のシステムに加え、防犯性が強化されている。
【００３７】
また、子機１５０を備える場所は、図５に示したようにクレセント１００の上部でなくてもよく、リード１２６ａ、および１２６ｂを延設すればいずれの箇所にも取り付けることが可能であり利便性に優れている。
【００３８】
図６には戸締り確認システムが作動する様子を概略的に示す。この戸締り確認システムは、上記クレセント１００ａ〜１００ｃ、および子機１５０ａ〜１５０ｃを備えた複数の窓（I）〜（III）と、これら窓（I）〜（III）の子機１５０ａ〜１５０ｃと無線通信可能に構成された親機１６０とを備えている。
【００３９】
親機１６０は例えば玄関等の防犯システムの作動をオン、オフに操作しやすい場所に設置され、例えば、台所、和室、浴室等に設置された窓（I）〜（III）の子機１５０ａ〜１５０ｃからのクレセント１００ａ〜１００ｃの施解錠信号を受信して、受信表示を行う表示装置１６１が設けられている。表示装置１６１により、建物管理者等は建物に設けられている窓において、どの窓がどのような施解錠状態におかれているかがすぐにわかるようになっている。
【００４０】
一方、親機１６０から、外出先の関係者や建物管理者の携帯電話、もしくはコンピューター等に信号を送信することも可能であり、異変が生じた場合には時間を経ずして知らせることも可能である。
【００４１】
また、図６に示した窓のうち、上記において説明した四枚障子で構成された窓（II）、および（III）のみならずクレセント１００の回動軌跡が小さい弧を描くことから窓（I）のような二枚障子に取り付けることも可能である。さらには、窓（II）、および（III)には本実施形態で説明したクレセント１００を装着し、窓（I)にはクレセント１００の構成部品であるハンドル本体の長さを変えたもの（なお、このハンドル本体の長さの変化にあわせてねじカバー、およびセンサの長さも対応させるものとする。）であっても良い。
【００４２】
本実施の形態においては引き違い窓を例として説明したが、クレセントが取り付けられる形態であればよく、本発明は、片引き窓、上げ下げ窓においても適用可能である。
また、外側引き違い障子の室内側の開閉部材として引き違い障子を例として説明したが、開閉部材は、カーテン、ブラインド、或いはロールスクリーン等であってもよい。
【００４３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４４】
【図１】引き違い窓を室外側からみた概略的な正面図を示す。
【図２】図１におけるII−II線に沿った断面図である。
【図３】クレセントを概略的に示す図である。（ａ）にはクレセントの正面図を、（ｂ）には左側面図を、（ｃ）には裏面図を、また（ｄ）には右側面図を示す。
【図４（ａ）】ねじカバーの正面図を示す。
【図４（ｂ）】ねじカバーの左側面図を示す。
【図４（ｃ）】ねじカバーの右側面図を示す。
【図５】クレセント、および子機が装着されている様子の概略的な斜視図を示す。
【図６】戸締り確認システムが作動する様子を示す概略図である。
【図７】従来例を示す。
【符号の説明】
【００４５】
５０  枠体
６０  内障子
６３  右縦框（召し合せ框）
７０  外障子
８０  内紙貼り障子（開閉部材）
９０  外紙貼り障子（開閉部材）
１００  クレセント（回動手掛用部材）
１０１  台座
１０３  ハンドル部
１２０  磁石
１２５  センサ
１５０  子機（発信機）
２００  開口部装置
【図１】
2005076323.tif 000003
【図２】
2005076323.tif 000004
【図３】
2005076323.tif 000005
【図４（ａ）】
2005076323.tif 000006
【図４（ｂ）】
2005076323.tif 000007
【図４（ｃ）】
2005076323.tif 000008
【図５】
2005076323.tif 000009
【図６】
2005076323.tif 000010
【図７】
2005076323.tif 000011